(57)【要約】【課題】試験工数を減少させ、小容量のメモリにより十分な評価試験を実行することができる電子機器を提供すること。【解決手段】データを格納するための１又は複数のフォルダを有する第１の保存部２０１と、データを格納するための１又は複数のフォルダを有する第２の保存部２０２と、第２の保存部２０２の着脱が可能となるように構成されてなる着脱部２０３と、テストデータ及び当該テストデータを管理するメタ情報を作成する作成部２０４と、メタ情報に基づいて指定される前記第１の保存部２０１の所定のフォルダに前記テストデータ及び前記メタ情報を保存する第１の制御部２０５と、第１の保存部２０１に保存されている前記メタ情報に基づいて指定される前記第２の保存部２０２の所定のフォルダに、前記第１の保存部２０１に保存されている前記テストデータ及び前記メタ情報を保存すべきか否か判別する第２の制御部２０６と、を備える。【選択図】図３
2010108195.tif 000002
【特許請求の範囲】
【請求項１】
データを格納するための１又は複数のフォルダを有する第１の保存手段と、
データを格納するための１又は複数のフォルダを有する第２の保存手段と、
前記第２の保存手段の着脱が可能となるように構成されてなる着脱手段と、
テストデータ及び当該テストデータを管理するメタ情報を作成する作成手段と、
前記メタ情報に基づいて指定される前記第１の保存手段の所定のフォルダに前記テストデータ及び前記メタ情報を保存する第１の制御手段と、
前記第１の保存手段に保存されている前記メタ情報に基づいて指定される前記第２の保存手段の所定のフォルダに、前記第１の保存手段に保存されている前記テストデータ及び前記メタ情報を保存すべきか否か判別する第２の制御手段と、
を備え、
前記第２の制御手段は、前記第２の保存手段の所定のフォルダに、前記第１の保存手段に保存されている前記テストデータ及び前記メタ情報を保存すべきであると判別したときに、前記第１の保存手段に保存されている前記テストデータ及び前記メタ情報を前記第２の保存手段の所定のフォルダに移動するよう前記第１の制御手段に対して要求し、
前記第１の制御手段は、前記要求に基づいて前記第１の保存手段に保存されている前記テストデータ及び前記メタ情報を前記第２の保存手段の所定のフォルダに移動することを特微とする電子機器。
【請求項２】
データを格納するための１又は複数のフォルダを有する第１の保存手段と、
データを格納するための１又は複数のフォルダを有する第２の保存手段と、
前記第２の保存手段の着脱が可能となるように構成されてなる着脱手段と、
テストデータを管理するメタ情報を作成する作成手段と、
前記メタ情報に基づいて指定される前記第１の保存手段の所定のフォルダに前記メタ情報を保存する第１の制御手段と、
前記第１の保存手段に保存されている前記メタ情報に基づいて指定される前記第２の保存手段の所定のフォルダに、前記第１の保存手段に保存されている前記メタ情報を保存すべきか否か判別する第２の制御手段と、
を備え、
前記第２の制御手段は、前記第２の保存手段の所定のフォルダに、前記第１の保存手段に保存されている前記メタ情報を保存すべきであると判別したときに、前記第１の保存手段に保存されている前記メタ情報と、実際には前記第１の保存手段に保存されていない前記テストデータとを前記第２の保存手段の所定のフォルダに移動するように前記第１の制御手段に対して要求し、
前記第１の制御手段は、前記要求に基づいて前記第１の保存手段に保存されている前記メタ情報を前記第２の保存手段の所定のフォルダに移動したことが確認可能な所定の情報を記録することを特微とする電子機器。
【請求項３】
前記第２の保存手段は、種類の異なる複数のデータを種類別に格納するための複数のフォルダを有し、
前記作成手段は、前記複数のフォルダ分のメタ情報を当該複数のフォルダの種類に対応して作成することを特徴とする請求項１又は２に記載の電子機器。
【請求項４】
前記第２の保存手段は、種類の異なる複数のデータを種類別に格納するための複数のフォルダを有し、
前記作成手段は、前記複数のフォルダ分のテストデータを作成することを特徴とする請求項１記載の電子機器。
【請求項５】
データを格納するための１又は複数のフォルダを有する保存手段と、
コンテンツテストデータ及び当該コンテンツテストデータの属性情報であるコンテンツ情報を作成する作成手段と、
前記コンテンツ情報に基づいて前記コンテンツテストデータを管理するメタ情報を作成し、当該メタ情報に基づいて指定される前記保存手段の所定のフォルダに前記メタ情報及び前記コンテンツテストデータを格納すべきか否か判別すると共に、当該メタ情報及び前記コンテンツテストデータを保存するように要求する第３の制御手段と、
前記第３の制御手段が前記保存手段の所定のフォルダに前記コンテンツテストデータ及び前記メタ情報を保存すべきであると判別したときに、前記要求に基づいて前記メタ情報及び前記コンテンツテストデータを前記保存手段の所定のフォルダに保存する第４の制御手段と、を備えることを特徴とする電子機器。
【請求項６】
データを格納するための１又は複数のフォルダを有する保存手段と、
コンテンツテストデータの属性情報であるコンテンツ情報を作成する作成手段と、
前記コンテンツ情報に基づいて前記コンテンツテストデータを管理するメタ情報を作成し、当該メタ情報に基づいて指定される前記保存手段の所定のフォルダに当該メタ情報を保存すべきか否か判別すると共に、当該メタ情報と実際には作成されていない前記コンテンツテストデータを保存するように要求する第３の制御手段と、
前記第３の制御手段が前記保存手段の所定のフォルダに前記メタ情報を保存すべきであると判別したときに、前記要求に基づいて前記メタ情報を前記保存手段の所定のフォルダに保存する第４の制御手段と、を備えることを特徴とする電子機器。
【請求項７】
前記保存手段は、種類の異なる複数のデータを種類別に格納するための複数のフォルダを有し、
前記作成手段は、前記複数のフォルダ分のメタ情報を当該複数のフォルダの種類に対応して作成することを特徴とする請求項５又は６に記載の電子機器。
【請求項８】
前記保存手段は、種類の異なる複数のデータを種類別に格納するための複数のフォルダを有し、
前記作成手段は、前記複数のフォルダ分のコンテンツテストデータを作成することを特徴とする請求項５記載の電子機器。
【発明の詳細な説明】
【技術分野】
【０００１】
本発明は、外部メモリを着脱可能な着脱部と、内部メモリとを有し、記憶されるデータの管理を行う機能を有する電子機器に関する。
【背景技術】
【０００２】
携帯端末では、ネットワークを介してＷｅｂサーバ上からダウンロードしたデータを内部メモリに記憶させるときに、所定の仕様（フォーマット）にしたがって、データの属性に基づく内部メモリの所定のフォルダにデータ及び当該データを管理するためのメタ情報がきちんと格納される必要があり、携帯端末の出荷前にこの評価試験（以下、第１の評価試験という。）を行う必要がある。
【０００３】
また、携帯端末では、内部メモリの所定のフォルダに格納されているデータを当該携帯端末に接続される外部メモリに移動させるときに、所定の仕様にしたがって、データの属性に基づく外部メモリの所定のフォルダにデータ及び当該データを管理するためのメタ情報がきちんと格納される必要があり、携帯端末の出荷前にこの評価試験（以下、第２の評価試験という。）を行う必要がある。
【０００４】
従来においては、次のような方法で第１の評価試験を行っている。
１．ネットワークを介して実際にＷｅｂサーバに接続し、対象となるデータと当該データを管理するためのメタ情報とを携帯端末にダウンロードする。
２．ダウンロードしたデータ及びメタ情報を内部メモリに移動させ、メタ情報に基づいて内部メモリの所定のフォルダにデータ及びメタ情報を格納する。
３．その後、データ及びメタ情報がそれぞれ仕様通りに内部メモリの所定のフォルダに格納されているか否かを確認する。
【０００５】
また、従来においては、次のような方法で第２の評価試験を行っている。
１．ネットワークを介して実際にＷｅｂサーバに接続し、対象となるデータと当該データを管理するためのメタ情報とを携帯端末にダウンロードする。
２．ダウンロードしたデータ及びメタ情報を内部メモリに移動させ、メタ情報に基づいて内部メモリの所定のフォルダにデータ及びメタ情報を格納する。
３．その後、内部メモリに格納されているデータ及びメタ情報を読み出し、メタ情報に基づいて外部メモリの所定のフォルダにデータを格納する。
４．その後、データ及びメタ情報がそれぞれ仕様通りに外部メモリの所定のフォルダに格納されているか否かを確認する。
【特許文献１】特開２００３−２９６２００号公報
【発明の開示】
【発明が解決しようとする課題】
【０００６】
ところで、上述した第１の評価試験及び第２の評価試験によると、実際にネットワークを介してＷｅｂサーバに接続し、内部メモリや外部メモリに移動させるデータ及び当該データに関するメタ情報をダウンロードしなければならず、通信環境が整備されたところでなければ試験を行えない。
【０００７】
また、メモリに格納するデータの種類（例えば、音楽データ、静止画データ、動画データ等）が多い場合には、第１の評価試験及び第２の評価試験にかかる試験工数が増加することにより、試験時間が増加し、生産性の低下を招いてしまう。また、確認すべきデータの量が多い場合には、データを携帯端末の内部メモリに保存する必要があるため、大きな容量の内部メモリが必要となり、コストの増大化を招いてしまう。
【０００８】
本発明では、データに関するメタ情報を利用することで評価試験における試験工数を減少させ、かつ小容量のメモリにより十分な評価試験を実行することができる電子機器を提供することを目的とする。
【課題を解決するための手段】
【０００９】
本発明に係る電子機器は、上記課題を解決するために、データを格納するための１又は複数のフォルダを有する第１の保存手段と、データを格納するための１又は複数のフォルダを有する第２の保存手段と、前記第２の保存手段の着脱が可能となるように構成されてなる着脱手段と、テストデータ及び当該テストデータを管理するメタ情報を作成する作成手段と、前記メタ情報に基づいて指定される前記第１の保存手段の所定のフォルダに前記テストデータ及び前記メタ情報を保存する第１の制御手段と、前記第１の保存手段に保存されている前記メタ情報に基づいて指定される前記第２の保存手段の所定のフォルダに、前記第１の保存手段に保存されている前記テストデータ及び前記メタ情報を保存すべきか否か判別する第２の制御手段と、を備え、前記第２の制御手段は、前記第２の保存手段の所定のフォルダに、前記第１の保存手段に保存されている前記テストデータ及び前記メタ情報を保存すべきであると判別したときに、前記第１の保存手段に保存されている前記テストデータ及び前記メタ情報を前記第２の保存手段の所定のフォルダに移動するよう前記第１の制御手段に対して要求し、前記第１の制御手段は、前記要求に基づいて前記第１の保存手段に保存されている前記テストデータ及び前記メタ情報を前記第２の保存手段の所定のフォルダに移動することを特微とする。
【００１０】
また、本発明に係る電子機器は、上記課題を解決するために、データを格納するための１又は複数のフォルダを有する第１の保存手段と、データを格納するための１又は複数のフォルダを有する第２の保存手段と、前記第２の保存手段の着脱が可能となるように構成されてなる着脱手段と、テストデータを管理するメタ情報を作成する作成手段と、前記メタ情報に基づいて指定される前記第１の保存手段の所定のフォルダに前記メタ情報を保存する第１の制御手段と、前記第１の保存手段に保存されている前記メタ情報に基づいて指定される前記第２の保存手段の所定のフォルダに、前記第１の保存手段に保存されている前記メタ情報を保存すべきか否か判別する第２の制御手段と、を備え、前記第２の制御手段は、前記第２の保存手段の所定のフォルダに、前記第１の保存手段に保存されている前記メタ情報を保存すべきであると判別したときに、前記第１の保存手段に保存されている前記メタ情報と、実際には前記第１の保存手段に保存されていない前記テストデータとを前記第２の保存手段の所定のフォルダに移動するように前記第１の制御手段に対して要求し、前記第１の制御手段は、前記要求に基づいて前記第１の保存手段に保存されている前記メタ情報を前記第２の保存手段の所定のフォルダに移動したことが確認可能な所定の情報を記録することを特微とする。
【００１１】
また、上記電子機器では、前記第２の保存手段は、種類の異なる複数のデータを種類別に格納するための複数のフォルダを有し、前記作成手段は、前記複数のフォルダ分のメタ情報を当該複数のフォルダの種類に対応して作成することが好ましい。
【００１２】
また、上記電子機器では、前記第２の保存手段は、種類の異なる複数のデータを種類別に格納するための複数のフォルダを有し、前記作成手段は、前記複数のフォルダ分のテストデータを作成することが好ましい。
【００１３】
また、本発明に係る電子機器は、上記課題を解決するために、データを格納するための１又は複数のフォルダを有する保存手段と、コンテンツテストデータ及び当該コンテンツテストデータの属性情報であるコンテンツ情報を作成する作成手段と、前記コンテンツ情報に基づいて前記コンテンツテストデータを管理するメタ情報を作成し、当該メタ情報に基づいて指定される前記保存手段の所定のフォルダに前記メタ情報及び前記コンテンツテストデータを格納すべきか否か判別すると共に、当該メタ情報及び前記コンテンツテストデータを保存するように要求する第３の制御手段と、前記第３の制御手段が前記保存手段の所定のフォルダに前記コンテンツテストデータ及び前記メタ情報を保存すべきであると判別したときに、前記要求に基づいて前記メタ情報及び前記コンテンツテストデータを前記保存手段の所定のフォルダに保存する第４の制御手段と、を備えることを特徴とする。
【００１４】
また、本発明に係る電子機器は、上記課題を解決するために、データを格納するための１又は複数のフォルダを有する保存手段と、コンテンツテストデータの属性情報であるコンテンツ情報を作成する作成手段と、前記コンテンツ情報に基づいて前記コンテンツテストデータを管理するメタ情報を作成し、当該メタ情報に基づいて指定される前記保存手段の所定のフォルダに当該メタ情報を保存すべきか否か判別すると共に、当該メタ情報と実際には作成されていない前記コンテンツテストデータを保存するように要求する第３の制御手段と、前記第３の制御手段が前記保存手段の所定のフォルダに前記メタ情報を保存すべきであると判別したときに、前記要求に基づいて前記メタ情報を前記保存手段の所定のフォルダに保存する第４の制御手段と、を備えることを特徴とする。
【００１５】
また、上記電子機器では、前記保存手段は、種類の異なる複数のデータを種類別に格納するための複数のフォルダを有し、前記作成手段は、前記複数のフォルダ分のメタ情報を当該複数のフォルダの種類に対応して作成することが好ましい。
【００１６】
また、上記電子機器では、前記保存手段は、種類の異なる複数のデータを種類別に格納するための複数のフォルダを有し、前記作成手段は、前記複数のフォルダ分のコンテンツテストデータを作成することが好ましい。
【発明の効果】
【００１７】
本発明によれば、データを管理するためのメタ情報を利用することで評価試験における試験工数を減少させ、かつ小容量のメモリにより十分な評価試験を実行することができる。
【発明を実施するための最良の形態】
【００１８】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、撮像機能及び通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１９】
携帯電話装置１は、操作部側筐体部２と、表示部側筐体部３と、を備えて構成される。操作部側筐体部２は、表面部１０に、操作キー群１１と、携帯電話装置１のユーザが通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２０】
また、表示部側筐体部３は、表面部２０に、各種情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。
【００２１】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２２】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２３】
また、図２は、携帯電話装置１の機能を示す機能ブロック図である。携帯電話装置１は、図２に示すように、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、外部メモリ１００（外部記憶部）が装着される装着部１０１と、を備えている。
【００２４】
通信部６０は、所定の使用周波数帯により外部装置と通信を行うメインアンテナ６１と、変調処理又は復調処理等の信号処理を行う通信処理部６２と、を備える。
【００２５】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００２６】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００２７】
電源回路部９０は、充電池８０から供給される電源電圧を所定の電圧値に変圧し、変圧後の電源電圧を通信部６０及び処理部７０に供給する。
【００２８】
装着部１０１は、所定の規格に準じた形状をなしており、当該所定の規格に準じた不揮発性の外部メモリ１００の装着を可能としている。また、処理部７０は、装着部１０１に装着された外部メモリ１００にデータを書き込んだり、また書き込まれているデータを読み出す。
【００２９】
また、本実施例では、外部メモリ１００は、複数のフォルダ（ディレクトリ）で構成されており、記憶されるデータの種類に応じて格納されるフォルダが異なるものとして説明するが、特にこの構成に限定されるものではない。
【００３０】
また、外部メモリ１００は、例えば、ＦＡＴ（ｆｉｌｅ  ａｌｌｏｃａｔｉｏｎ  ｔａｂｌｅ）ファイルシステムによりデータの管理がされているものとして説明するが、特にこれに限定されるものではない。
【００３１】
このように構成される携帯電話装置１では、出荷前において内部メモリと外付けの外部メモリにメタ情報に基づいて所定のフォルダにデータが書き込まれたかどうかについての評価試験を実行する。また、処理部７０は、データを管理するためのメタ情報を利用することで当該評価試験における試験工数を減少させ、かつ小容量の内部メモリにより十分な評価試験を実行することができる機能を有している。
【００３２】
ところで、データを携帯電話装置１に保存する場合は、データ本体とデータを管理するためのメタ情報（データ本体へのリンク情報、データ種別、著作権有無、外部送出可否、再生制限有無）を別々にファイルシステムに保存している。しかし、データフォルダ上でファイルを表示する際は、メタ情報だけを参照している。つまり、データ本体を参照するのはデータの再生や移動やコピーを行なう場合だけである。そこで、当該機能は、試験対象データのメタ情報を生成するプログラムを作成する。
【００３３】
また、当該機能では、形式的なデータ（データの種別や容量は任意）を生成するプログラムを作成する。
【００３４】
＜第１の構成例＞
ここで、当該機能を発揮するための処理部７０の具体的な構成と動作について詳細に説明する。なお、以下では、第１の構成例として、外部メモリを有し、データ本体とその管理情報を作成し、内部メモリと外部メモリにデータ本体とその管理情報が適式に書き込まれるか否かを評価する試験（以下、第１の評価試験という。）について説明する。
【００３５】
処理部７０は、図３に示すように、第１の保存部２０１（第１の保存手段）と、第２の保存部２０２（第２の保存手段）と、着脱部２０３（着脱手段）と、作成部２０４（作成手段）と、第１の制御部２０５（第１の制御手段）と、第２の制御部２０６（第２の制御手段）と、移動制御部２０７とを備える。
【００３６】
第１の保存部２０１は、所定の容量を有する内部メモリであり、データを格納するための１又は複数のフォルダを有する。第２の保存部２０２は、上述した外部メモリ１００に相当し、データを格納するための１又は複数のフォルダを有する。着脱部２０３は、上述した装着部１０１に相当し、第２の保存部２０２の着脱が可能となるように構成されてなる。作成部２０４は、データフォルダ操作部に相当し、移動制御部２０７の指示にしたがって、テストデータと、当該テストデータを管理する管理情報（以下、メタ情報という。）を作成する。ここで、テストデータは、第１の評価試験を実行する際に利用されるだけのデータであり、有意なデータである必要はないため、必要最小限の容量で構成されている。したがって、第１の保存部２０１及び第２の保存部２０２は、小容量で構成することができる。また、メタ情報は、少なくともデータを種別する情報を含み、他には、データ本体へのリンク情報、著作権有無の情報、外部送出の可否の情報及び再生制御の有無の情報等を含んでいる。
【００３７】
第１の制御部２０５は、ファイルシステムに相当し、メタ情報に基づいて指定される第１の保存部２０１の所定のフォルダにテストデータ及びメタ情報を保存する。第２の制御部２０６は、データ管理サービスに相当し、移動制御部２０７の指示にしたがって、第１の保存部２０１に保存されているメタ情報に基づいて指定される第２の保存部２０２の所定のフォルダに、第１の保存部２０１に保存されているテストデータ及びメタ情報を保存すべきか否か判別する。
【００３８】
また、第２の制御部２０６は、第２の保存部２０２の所定のフォルダに、第１の保存部２０１に保存されているテストデータ及びメタ情報を保存すべきであると判別したときに、第１の保存部２０１に保存されているテストデータ及びメタ情報を第２の保存部２０２の所定のフォルダに移動するよう第１の制御部２０５に対して要求する。また、第１の制御部２０５は、要求に基づいて第１の保存部２０１に保存されているテストデータ及びメタ情報を第２の保存部２０２の所定のフォルダに移動する。
【００３９】
第１の評価試験では、当該試験を行う者が上述した一連の処理の後、第１の制御部２０５を参照することにより、テストデータとメタ情報が第１の保存部２０１の所定のフォルダに適式に格納され、また、テストデータとメタ情報が第２の保存部２０２の所定のフォルダに適式に格納されたことを確認して終了する。なお、具体的なデータの移動の流れは、図３に示すように、
１．移動制御部２０７は、作成部２０４に対してメタ情報の生成要求を行い、
２．作成部２０４は、生成したメタ情報を第１の制御部２０５に供給し、
３．第１の制御部２０５は、第１の保存部２０１の所定のフォルダにメタ情報を書き込むように制御し、
４．つぎに、移動制御部２０７は、作成部２０４に対してテストデータの生成要求を行い、
５．作成部２０４は、生成したテストデータを第１の制御部２０５に供給し、
６．第１の制御部２０５は、第１の保存部２０１の所定のフォルダにテストデータを書き込むように制御し、
７．つぎに、移動制御部２０７は、第２の制御部２０６に対してテストデータの移動要求を行い、
８．第２の制御部２０６は、第１の制御部２０５に対して第１の保存部２０１に格納されているテストデータを第２の保存部２０２に移動するように要求し、
９．第１の制御部２０５は、第１の保存部２０１からテストデータとそのメタ情報を読み出し、第２の保存部２０２の所定のフォルダにテストデータを書き込むように制御する。
【００４０】
このように構成されることにより、携帯電話装置１は、実際にネットワークを介してＷｅｂサーバに接続し、データをダウンロードしなくても第１の評価試験を実行することができ、データに関するメタ情報を利用することで評価試験における試験工数を減少させ、かつ小容量の内部メモリにより十分な評価試験を実行することができる。
【００４１】
また、第２の保存部２０２は、種類の異なる複数のデータを種類別に格納するための複数のフォルダにより構成されていても良い。また、作成部２０４は、複数のフォルダ分のメタ情報を当該複数のフォルダの種類に対応して作成する。また、作成部２０４は、複数のフォルダ分のテストデータを作成する。
【００４２】
例えば、第２の保存部２０２は、音楽データを格納するフォルダと、静止画データを格納するフォルダと、動画データを格納するフォルダとにより論理的に構成される。このような場合には、作成部２０４は、音楽データを管理するメタ情報と、静止画データを管理するメタ情報と、動画データを管理するメタ情報を作成し、また、テストデータを３つ作成する。
【００４３】
従来の方法によれば、テストデータもデータの種類に対応して作成する必要があり、それぞれ容量が大きくなってしまい、大容量のメモリを必要としていた。一方で、携帯電話装置１では、容量の小さなテストデータで済むため、小容量のメモリにより評価試験を行うことができる。
【００４４】
＜第２の構成例＞
つぎに、第２の構成例として、外部メモリが装着され、データ本体を作成せずにその管理情報のみを作成し、内部メモリ及び外部メモリにデータ本体とその管理情報が適式に書き込まれるか否かを評価する試験（以下、第２の評価試験という。）について説明する。なお、第１の構成例では、既存のファイルシステムを利用して本体データを移動することにより評価試験を行っていたが、第２の構成例では、実際には、内部メモリ及び外部メモリに本体データを書き込まないで評価試験を行う。
【００４５】
処理部７０は、図４に示すように、第１の保存部３０１（第１の保存手段）と、第２の保存部３０２（第２の保存手段）と、着脱部３０３（着脱手段）と、作成部３０４と、第１の制御部３０５（第１の制御手段）と、第２の制御部３０６（第２の制御手段）と、移動制御部３０７を備える。
【００４６】
第１の保存部３０１は、所定の容量を有する内部メモリであり、データを格納するための１又は複数のフォルダを有する。第２の保存部３０２は、上述した外部メモリ１００に相当し、データを格納するための１又は複数のフォルダを有する。着脱部３０３は、上述した装着部１０１に相当し、第２の保存部３０２の着脱が可能となるように構成されてなる。作成部３０４は、データフォルダ操作部に相当し、移動制御部３０７の指示にしたがって、テストデータを管理するメタ情報を作成する。また、メタ情報は、少なくともデータを種別する情報を含み、他には、データ本体へのリンク情報、著作権有無の情報、外部送出の可否の情報及び再生制御の有無の情報等を含んでいる。
【００４７】
第１の制御部３０５は、ファイルシステムに相当し、メタ情報に基づいて指定される第１の保存部３０１の所定のフォルダにメタ情報を保存する。第２の制御部３０６は、データ管理サービスに相当し、移動制御部３０７の指示にしたがって、第１の保存部３０１に保存されているメタ情報に基づいて指定される第２の保存部３０２の所定のフォルダに、第１の保存部３０１に保存されているメタ情報を保存すべきか否か判別する。
【００４８】
また、第２の制御部３０６は、第２の保存部３０２の所定のフォルダに、第１の保存部３０１に保存されているメタ情報を保存すべきであると判別したときに、第１の保存部３０１に保存されているメタ情報と、実際には第１の保存部３０１に保存されていないテストデータとを第２の保存部３０２の所定のフォルダに移動するように第１の制御部３０５に対して要求する。
【００４９】
また、第１の制御部３０５は、第２の制御部３０６からの要求に基づいて第１の保存部３０１に保存されているメタ情報を第２の保存部３０２の所定のフォルダに移動することが確認可能な所定の情報を記録する。また、第２の制御部３０６からの「要求」とは、第１の保存部３０１に保存されているメタ情報を所定の第２の保存部３０２に保存する旨の要求である。
【００５０】
また、第１の制御部３０５が第２の制御部３０６からの要求に基づいて第１の保存部３０１に保存されているメタ情報を第２の保存部３０２の所定のフォルダに移動することが確認可能な「所定の情報」とは、メタ情報が保存されている第１の保存部３０１上のパスと移動先である第２の保存部３０２上のパスが一例として挙げられる。
【００５１】
第２の評価試験では、当該試験を行う者が、上述した一連の処理の後、第１の制御部３０５を参照することにより、メタ情報が第１の保存部３０１の所定のフォルダに適式に格納されること、また、メタ情報が第２の保存部３０２の所定のフォルダに適式に格納されることを確認して終了する。なお、具体的なデータの移動の流れは、図４に示すように、
１．移動制御部３０７は、作成部３０４に対してメタ情報の生成要求を行い、
２．作成部３０４は、生成したメタ情報が第１の制御部３０５に供給し、
３．第１の制御部３０５は、第１の保存部３０１の所定のフォルダにメタ情報を書き込むように制御し、
４．つぎに、移動制御部３０７は、第２の制御部３０６に対してテストデータの移動要求を行い、
５．第２の制御部３０６は、第１の制御部３０５に対して第１の保存部３０１に格納されている（実際には格納されていない）テストデータを第２の保存部３０２に移動するように要求し、
６．第１の制御部３０５は、第１の保存部３０１からメタ情報を読み出し、第２の保存部３０２の所定のフォルダにメタ情報を書き込むことが確認可能な所定の情報を記憶する。
【００５２】
このように構成されることにより、携帯電話装置１は、実際にネットワークを介してＷｅｂサーバに接続し、データをダウンロードしなくても第２の評価試験を実行することができ、データに関するメタ情報を利用することで評価試験における試験工数を減少させ、かつ小容量の内部メモリにより十分な評価試験を実行することができる。また、携帯電話装置１は、第１の構成例と異なり、第１の制御部３０５に仮想的な処理を実行させることにより、テストデータを実際に作成しなくて良いため、第２の評価試験における処理負担の軽減化を図ることができる。
【００５３】
また、第２の保存部３０２は、種類の異なる複数のデータを種類別に格納するための複数のフォルダにより構成されていても良い。また、作成部２０４は、複数のフォルダ分のメタ情報を当該複数のフォルダの種類に対応して作成する。
【００５４】
例えば、第２の保存部３０２は、音楽データを格納するフォルダと、静止画データを格納するフォルダと、動画データを格納するフォルダとにより論理的に構成される。このような場合には、作成部２０４は、音楽データを管理するメタ情報と、静止画データを管理するメタ情報と、動画データを管理するメタ情報を作成する。
【００５５】
従来の方法によれば、テストデータもデータの種類に対応して作成する必要があったが、携帯電話装置１では、テストデータを作成することなく評価試験を行うことができるので、評価試験における処理負担の軽減化を図ることができる。
【００５６】
また、第２の構成例においては、実際には第２の保存部３０２にはメタ情報等が格納されないため、第２の保存部３０２が着脱部３０３に装着されていなくても良い。この場合には、第２の評価試験を開始する際に、着脱部３０３にダミーの第２の保存部３０２を装着するか、着脱部３０３に第２の保存部３０２が装着されている旨の信号を入力する等して対応する。
【００５７】
なお、本構成例では、既存のファイルシステム（第１の制御部３０５）に変更を行っているが、データの移動はデータ管理サービス（第２の制御部３０６）が制御しているため、データの移動に関する動作は保障される。また、試験用のコンパイルスイッチを使用してファイルシステム（第１の制御部３０５）の変更をプログラミングしておけば、既存のソフトウェアに影響を与えることなく修正が可能である。
【００５８】
＜第３の構成例＞
つぎに、第３の構成例として、外部メモリを装着せず、データ本体とその管理情報を作成し、内部メモリにデータ本体とその管理情報が適式に書き込まれるか否かを評価する試験（以下、第３の評価試験という。）について説明する。
【００５９】
処理部７０は、図５に示すように、保存部４０１（保存手段）と、作成部４０２（作成手段）と、第３の制御部４０３（第３の制御手段）と、第４の制御部４０４（第４の制御手段）と、移動制御部４０５とを備える。
【００６０】
保存部４０１は、所定の容量を有する内部メモリであり、データを格納するための１又は複数のフォルダを有する。作成部４０２は、データフォルダ操作部に相当し、移動制御部４０５の指示にしたがって、コンテンツテストデータ及び当該コンテンツテストデータの属性情報であるコンテンツ情報を作成する。ここで、コンテンツテストデータは、第３の評価試験を実行する際に利用されるだけデータであり、有意なデータである必要はないため、必要最小限の容量で構成されている。したがって、保存部４０１は、小容量で構成することができる。
【００６１】
第３の制御部４０３は、データ管理サービスに相当し、コンテンツ情報に基づいてコンテンツテストデータを管理するメタ情報を作成し、当該メタ情報に基づいて指定される保存部４０１の所定のフォルダにメタ情報及びコンテンツテストデータを格納すべきか否か判別する。また、第３の制御部４０３は、コンテンツテストデータ及びメタ情報を保存すべきであると判別したときに、当該メタ情報及びコンテンツテストデータを保存するように要求する。また、メタ情報は、少なくともデータを種別する情報を含み、他には、データ本体へのリンク情報、著作権有無の情報、外部送出の可否の情報及び再生制御の有無の情報等を含んでいる。
【００６２】
第４の制御部４０４は、第３の制御部４０３からの要求に基づいて、メタ情報及びコンテンツテストデータを保存部４０１の所定のフォルダに保存する。
【００６３】
第３の評価試験では、当該試験を行う者が、上述した一連の処理の後、第４の制御部４０４を参照することにより、コンテンツテストデータとメタ情報が保存部４０１の所定のフォルダに適式に格納されたことを確認して終了する。なお、具体的なデータの移動の流れは、図５に示すように、
１．移動制御部４０５は、作成部４０２に対してコンテンツ情報とコンテンツテストデータの生成要求を行い、
２．作成部４０２は、生成したコンテンツ情報とコンテンツテストデータを第３の制御部４０３に供給し、
３．第３の制御部４０３は、コンテンツ情報をもとにメタ情報を生成し、コンテンツテストデータと、生成したメタ情報とを保存部４０１に書き込むように制御し、
４．第４の制御部４０４は、コンテンツデータと、メタ情報とを保存部４０１の所定のフォルダに書き込むように制御する。
【００６４】
このように構成されることにより、携帯電話装置１は、実際にネットワークを介してＷｅｂサーバに接続し、コンテンツデータをダウンロードしなくても第３の評価試験を実行することができ、コンテンツテストデータに関するメタ情報を利用することで評価試験における試験工数を減少させ、かつ小容量の内部メモリにより十分な評価試験を実行することができる。
【００６５】
また、保存部４０１は、種類の異なる複数のデータを種類別に格納するための複数のフォルダにより構成されていても良い。また、作成部４０２は、複数のフォルダ分のメタ情報を当該複数のフォルダの種類に対応して作成する。また、作成部４０２は、複数のフォルダ分のテストデータを作成する。
【００６６】
例えば、保存部４０１は、音楽データを格納するフォルダと、静止画データを格納するフォルダと、動画データを格納するフォルダとにより論理的に構成される。このような場合には、作成部４０２は、音楽データを管理するメタ情報と、静止画データを管理するメタ情報と、動画データを管理するメタ情報を作成し、また、テストデータを３つ作成する。
【００６７】
従来の方法によれば、テストデータもデータの種類に対応して作成する必要があり、それぞれ容量が大きくなってしまい、大容量のメモリを必要としていた。一方で、携帯電話装置１では、容量の小さなテストデータで済むため、小容量のメモリにより評価試験を行うことができる。
【００６８】
＜第４の構成例＞
つぎに、第４の構成例として、データ本体を作成せずにその管理情報のみを作成し、内部メモリにデータ本体とその管理情報が適式に書き込まれるか否かを評価する試験（以下、第４の評価試験という。）について説明する。
【００６９】
処理部７０は、図６に示すように、保存部５０１（保存手段）と、作成部５０２（作成手段）と、第３の制御部５０３（第３の制御手段）と、第４の制御部５０４（第４の制御手段）と、移動制御部５０５とを備える。
【００７０】
保存部５０１は、所定の容量を有する内部メモリであり、データを格納するための１又は複数のフォルダを有する。作成部５０２は、データフォルダ操作部に相当し、移動制御部４０５の指示にしたがって、コンテンツテストデータの属性情報であるコンテンツ情報のみを作成する。
【００７１】
第３の制御部５０３は、データ管理サービスに相当し、コンテンツ情報に基づいてコンテンツテストデータを管理するメタ情報を作成し、当該メタ情報に基づいて指定される保存部５０１の所定のフォルダに当該メタ情報を保存すべきか否か判別する。また、第３の制御部５０３は、メタ情報を保存すべきであると判別したときには、当該メタ情報と実際には作成されていないコンテンツテストデータを保存するように要求する。また、メタ情報は、少なくともデータを種別する情報を含み、他には、データ本体へのリンク情報、著作権有無の情報、外部送出の可否の情報及び再生制御の有無の情報等を含んでいる。
【００７２】
第４の制御部５０４は、第３の制御部５０３からの要求に基づいて、メタ情報を保存部５０１の所定のフォルダに保存する。
【００７３】
第４の制御部５０４は、保存部５０１の専用処理部５０４ａを有し、実際、保存部５０１にはメタ情報しか格納しないが、見かけ上、コンテンツテストデータも格納したように仮想的な処理を実行する。
【００７４】
第４の評価試験では、当該試験を行う者が、上述した一連の処理の後、第４の制御部５０４を参照することにより、メタ情報が保存部５０１の所定のフォルダに適式に格納されたことを確認して終了する。なお、具体的なデータの移動の流れは、図６に示すように、
１．移動制御部５０５は、作成部５０２に対してコンテンツ情報の生成要求を行い、
２．作成部５０２は、生成したコンテンツ情報を第３の制御部５０３に供給し、
３．第３の制御部５０３は、コンテンツ情報をもとにメタ情報を生成し、生成したメタ情報と、実際には存在しないコンテンツテストデータとを保存部５０１に書き込むように制御し、
４．第４の制御部５０４は、メタ情報を保存部５０１の所定のフォルダに書き込むように制御する。
【００７５】
このように構成されることにより、携帯電話装置１は、実際にネットワークを介してＷｅｂサーバに接続し、データをダウンロードしなくても第４の評価試験を実行することができ、データに関するメタ情報を利用することで評価試験における試験工数を減少させ、かつ小容量の内部メモリにより十分な評価試験を実行することができる。また、携帯電話装置１は、第３の構成例と異なり、第４の制御部５０４に仮想的な処理を実行させることにより、コンテンツテストデータを実際に作成しなくて良いため、第４の評価試験における処理負担の軽減化を図ることができる。
【００７６】
また、保存部５０１は、種類の異なる複数のコンテンツデータを種類別に格納するための複数のフォルダにより構成されていても良い。また、作成部５０２は、複数のフォルダ分のメタ情報を当該複数のフォルダの種類に対応して作成する。
【００７７】
例えば、保存部５０１は、音楽データを格納するフォルダと、静止画データを格納するフォルダと、動画データを格納するフォルダとにより論理的に構成される。このような場合には、作成部５０２は、音楽データを管理するメタ情報と、静止画データを管理するメタ情報と、動画データを管理するメタ情報を作成する。
【００７８】
従来の方法によれば、コンテンツテストデータもデータの種類に対応して作成する必要があったが、携帯電話装置１では、コンテンツテストデータを作成することなく評価試験を行うことができるので、評価試験における処理負担の軽減化を図ることができる。
【００７９】
また、第４の構成例においては、実際には保存部５０１にはメタ情報等が格納されない構成であっても良い。
【００８０】
なお、本構成例では、既存のファイルシステム（第４の制御部５０４）に変更を行っているが、データの移動はデータ管理サービス（第３の制御部５０３）が制御しているため、データの移動に関する動作は保障される。また、試験用のコンパイルスイッチを使用してファイルシステム（第４の制御部５０４）の変更をプログラミングしておけば、既存のソフトウェアに影響を与えることなく修正が可能である。
【００８１】
ここで、携帯電話装置１の主なポイントをまとめると、
１．データ移動をデータ本体の移動で管理せず、データフォルダ管理情報で管理する点、
２．大量のデータ移動評価を行う場合でも、必要となるメモリ容量が少なくて済む点、
である。
【図面の簡単な説明】
【００８２】
【図１】本発明に係る携帯電話装置の外観を示す斜視図である。
【図２】本発明に係る携帯電話装置の機能を示すブロック図である。
【図３】本発明に係る携帯電話装置の第１の構成例を示す機能ブロック図である。
【図４】本発明に係る携帯電話装置の第２の構成例を示す機能ブロック図である。
【図５】本発明に係る携帯電話装置の第３の構成例を示す機能ブロック図である。
【図６】本発明に係る携帯電話装置の第４の構成例を示す機能ブロック図である。
【符号の説明】
【００８３】
１  携帯電話装置
２０１，３０１  第１の保存部（第１の保存手段）
２０２，３０２  第２の保存部（第２の保存手段）
２０３，３０３  着脱部（着脱手段）
２０４，３０４，４０２，５０２  作成部（作成手段）
２０５，３０５  第１の制御部（第１の制御手段）
２０６，３０６  第２の制御部（第２の制御手段）
２０７，３０７，４０５，５０５  移動制御部
４０１，５０１  保存部（保存手段）
４０３，５０３  第３の制御部（第３の制御手段）
４０４，５０４  第４の制御部（第４の制御手段）
【図１】
2010108195.tif 000003
【図２】
2010108195.tif 000004
【図３】
2010108195.tif 000005
【図４】
2010108195.tif 000006
【図５】
2010108195.tif 000007
【図６】
2010108195.tif 000008